【手続補正書】
【提出日】平成18年12月13日(2006.12.13)
【手続補正１】
【補正対象書類名】特許請求の範囲
【補正対象項目名】全文
【補正方法】変更
【補正の内容】
【特許請求の範囲】
【請求項１】
配列番号：１で表されるアミノ酸配列と同一もしくは実質的に同一のアミノ酸配列を含有するタンパク質もしくはその部分ペプチドまたはその塩の活性を阻害する化合物またはその塩を含有してなるがんの予防・治療剤。
【請求項２】
配列番号：１で表されるアミノ酸配列と同一もしくは実質的に同一のアミノ酸配列を含有するタンパク質もしくはその部分ペプチドまたはその塩の遺伝子の発現を阻害する化合物またはその塩を含有してなるがんの予防・治療剤。
【請求項３】
配列番号：１で表されるアミノ酸配列と同一もしくは実質的に同一のアミノ酸配列を有するタンパク質またはその部分ペプチドをコードするポリヌクレオチドの塩基配列に相補的もしくは実質的に相補的な塩基配列またはその一部を含有するアンチセンスポリヌクレオチド。
【請求項４】
配列番号：１で表されるアミノ酸配列に対して８０％以上の相同性を有するアミノ酸配列を有し、かつヒストンメチル基転移酵素活性を有するタンパク質またはその部分ペプチドをコードするポリヌクレオチドの塩基配列に相補的な、もしくは該塩基配列とハイストリンジェントな条件下でハイブリダイズできる塩基配列またはその一部を含有するアンチセンスポリヌクレオチド。
【請求項５】
配列番号：１で表されるアミノ酸配列中の１または数個のアミノ酸が欠失、付加、挿入、または置換されたアミノ酸配列を有し、かつヒストンメチル基転移酵素活性を有するタンパク質またはその部分ペプチドをコードするポリヌクレオチドの塩基配列に相補的な、もしくは該塩基配列とハイストリンジェントな条件下でハイブリダイズできる塩基配列またはその一部を含有するアンチセンスポリヌクレオチド。
【請求項６】
請求項３〜５のいずれか記載のアンチセンスポリヌクレオチドを含有してなるがんの予防・治療剤。
【請求項７】
配列番号：１で表されるアミノ酸配列と同一もしくは実質的に同一のアミノ酸配列を含有するタンパク質またはその部分ペプチドまたはその塩に対する抗体を含有してなるがんの予防・治療剤。
【請求項８】
がんが、大腸がん、乳がん、肺がん、膵臓がんまたは卵巣がんである請求項１、請求項２、請求項６または請求項７記載の予防・治療剤。
【請求項９】
配列番号：１で表されるアミノ酸配列と同一もしくは実質的に同一のアミノ酸配列を含有するタンパク質またはその部分ペプチドまたはその塩に対する抗体を含有してなるがんの診断薬。
【請求項１０】
配列番号：１で表されるアミノ酸配列に対して８０％以上の相同性を有するアミノ酸配列を含有し、かつヒストンメチル基転移酵素活性を有するタンパク質またはその部分ペプチドまたはその塩に対する抗体を含有してなるがんの診断薬。
【請求項１１】
配列番号：１で表されるアミノ酸配列中の１または数個のアミノ酸が欠失、付加、挿入、または置換されたアミノ酸配列を含有し、かつヒストンメチル基転移酵素活性を有するタンパク質またはその部分ペプチドまたはその塩に対する抗体を含有してなるがんの診断薬。
【請求項１２】
配列番号：１で表されるアミノ酸配列と同一もしくは実質的に同一のアミノ酸配列を有するタンパク質またはその部分ペプチドをコードするポリヌクレオチドを含有してなるがんの診断薬。
【請求項１３】
配列番号：１で表されるアミノ酸配列に対して８０％以上の相同性を有するアミノ酸配列を有し、かつヒストンメチル基転移酵素活性を有するタンパク質またはその部分ペプチドをコードするポリヌクレオチドを含有してなるがんの診断薬。
【請求項１４】
配列番号：１で表されるアミノ酸配列中の１または数個のアミノ酸が欠失、付加、挿入、または置換されたアミノ酸配列を有し、かつヒストンメチル基転移酵素活性を有するタンパク質またはその部分ペプチドをコードするポリヌクレオチドを含有してなるがんの診断薬。
【請求項１５】
がんが、大腸がん、乳がん、肺がん、膵臓がんまたは卵巣がんである請求項９〜請求項１４のいずれか記載の診断薬。
【請求項１６】
ヒストンＨ３の９番目および（または）２７番目のリジン残基にメチル基を転移する酵素活性阻害作用を有する化合物またはその塩を含有してなるがんの予防・治療剤。
【請求項１７】
ヒストンＨ３の９番目および（または）２７番目のリジン残基にメチル基を転移する酵素活性阻害作用を有する化合物またはその塩を含有してなるアポトーシス誘導剤。
【請求項１８】
ヒストンＨ３の９番目および（または）２７番目のリジン残基にメチル基を転移する酵素発現阻害作用を有する化合物またはその塩を含有してなるがんの予防・治療剤。
【請求項１９】
ヒストンＨ３の９番目および（または）２７番目のリジン残基にメチル基を転移する酵素発現阻害作用を有する化合物またはその塩を含有してなるアポトーシス誘導剤。
【請求項２０】
配列番号：１で表されるアミノ酸配列と同一もしくは実質的に同一のアミノ酸配列を含有するタンパク質もしくはその部分ペプチドまたはその塩を用いることを特徴とするがんの予防・治療剤のスクリーニング方法。
【請求項２１】
配列番号：１で表されるアミノ酸配列に対して８０％以上の相同性を有するアミノ酸配列を含有し、かつヒストンメチル基転移酵素活性を含有するタンパク質もしくはその部分ペプチドまたはその塩を用いることを特徴とする請求項２０記載のスクリーニング方法。
【請求項２２】
配列番号：１で表されるアミノ酸配列中の１または数個のアミノ酸が欠失、付加、挿入、または置換されたアミノ酸配列を含有し、かつヒストンメチル基転移酵素活性を含有するタンパク質もしくはその部分ペプチドまたはその塩を用いることを特徴とする請求項２０記載のスクリーニング方法。
【請求項２３】
配列番号：１で表されるアミノ酸配列と同一もしくは実質的に同一のアミノ酸配列を含有するタンパク質もしくはその部分ペプチドまたはその塩を含有することを特徴とするがんの予防・治療剤のスクリーニング用キット。
【請求項２４】
配列番号：１で表されるアミノ酸配列に対して８０％以上の相同性を有するアミノ酸配列を含有し、かつヒストンメチル基転移酵素活性を有するタンパク質もしくはその部分ペプチドまたはその塩を含有することを特徴とする請求項２３記載のスクリーニング用キット。
【請求項２５】
配列番号：１で表されるアミノ酸配列中の１または数個のアミノ酸が欠失、付加、挿入、または置換されたアミノ酸配列を含有し、かつヒストンメチル基転移酵素活性を有するタンパク質もしくはその部分ペプチドまたはその塩を含有することを特徴とする請求項２３記載のスクリーニング用キット。
【請求項２６】
配列番号：１で表されるアミノ酸配列と同一もしくは実質的に同一のアミノ酸配列を有するタンパク質またはその部分ペプチドをコードするポリヌクレオチドを用いることを特徴とするがんの予防・治療剤のスクリーニング方法。
【請求項２７】
配列番号：１で表されるアミノ酸配列に対して８０％以上の相同性を有するアミノ酸配列を含有し、かつヒストンメチル基転移酵素活性を有するタンパク質またはその部分ペプチドをコードするポリヌクレオチドを用いることを特徴とする請求項２６記載のスクリーニング方法。
【請求項２８】
配列番号：１で表されるアミノ酸配列中の１または数個のアミノ酸が欠失、付加、挿入、または置換されたアミノ酸配列を含有し、かつヒストンメチル基転移酵素活性を有するタンパク質またはその部分ペプチドをコードするポリヌクレオチドを用いることを特徴とする請求項２６記載のスクリーニング方法。
【請求項２９】
配列番号：１で表されるアミノ酸配列と同一もしくは実質的に同一のアミノ酸配列を有するタンパク質またはその部分ペプチドをコードするポリヌクレオチドを含有することを特徴とするがんの予防・治療剤のスクリーニング用キット。
【請求項３０】
配列番号：１で表されるアミノ酸配列に対して８０％以上の相同性を含有するアミノ酸配列を有し、かつヒストンメチル基転移酵素活性を有するタンパク質またはその部分ペプチドをコードするポリヌクレオチドを含有することを特徴とする請求項２９記載のスクリーニング用キット。
【請求項３１】
配列番号：１で表されるアミノ酸配列中の１または数個のアミノ酸が欠失、付加、挿入、または置換されたアミノ酸配列を含有し、かつヒストンメチル基転移酵素活性を有するタンパク質またはその部分ペプチドをコードするポリヌクレオチドを含有することを特徴とする請求項２９記載のスクリーニング用キット。
【請求項３２】
配列番号：１で表されるアミノ酸配列と同一もしくは実質的に同一のアミノ酸配列を含有するタンパク質もしくはその部分ペプチドまたはその塩の活性を阻害する化合物またはその塩を含有してなるアポトーシス誘導剤。
【請求項３３】
配列番号：１で表されるアミノ酸配列と同一もしくは実質的に同一のアミノ酸配列を含有するタンパク質もしくはその部分ペプチドまたはその塩の遺伝子の発現を阻害する化合物またはその塩を含有してなるアポトーシス誘導剤。
【請求項３４】
配列番号：１で表されるアミノ酸配列と同一もしくは実質的に同一のアミノ酸配列を含有するタンパク質もしくはその部分ペプチドまたはその塩を用いることを特徴とするアポトーシス誘導剤のスクリーニング方法。
【請求項３５】
配列番号：１で表されるアミノ酸配列と同一もしくは実質的に同一のアミノ酸配列を有するタンパク質またはその部分ペプチドをコードするＤＮＡを用いることを特徴とするアポトーシス誘導剤のスクリーニング方法。
【請求項３６】
配列番号：１で表されるアミノ酸配列に対して８０％以上の相同性を有するアミノ酸配列を含有し、かつヒストンメチル基転移酵素活性を有するタンパク質またはその部分ペプチドをコードするＤＮＡを用いることを特徴とする請求項３５記載のスクリーニング方法。
【請求項３７】
配列番号：１で表されるアミノ酸配列中の１または数個のアミノ酸が欠失、付加、挿入、または置換されたアミノ酸配列を含有し、かつヒストンメチル基転移酵素活性を有するタンパク質またはその部分ペプチドをコードするＤＮＡを用いることを特徴とする請求項３５記載のスクリーニング方法。
【請求項３８】
配列番号：１で表されるアミノ酸配列と同一もしくは実質的に同一のアミノ酸配列を有するタンパク質もしくはその部分ペプチドまたはその塩の活性を阻害する、または該タンパク質もしくはその部分ペプチドまたはその塩の遺伝子の発現を阻害することを特徴とする、アポトーシス誘導法。